(57)【要約】      （修正有）【課題】安価な構成によって軸受に対する防塵特性を向上させることが可能なモータ、送風装置及び掃除機を提供すること。【解決手段】モータは、上下に延びる中心軸に沿って配置されるシャフト２１を有するロータ２０と、前記ロータと径方向に対向して配置されるステータ３０と、前記ステータに対して前記ロータを前記中心軸回りに回転可能に支持する転がり軸受４０と、前記ロータ及び前記ステータを内包するモータハウジングと、前記シャフトの径方向外方に配置されるシール部材７０と、を備える。前記シール部材は、前記シャフトに向かって前記中心軸に交差する方向に広がる環状のシール部７１を有する。前記シール部と前記シャフトとの間隙は、前記転がり軸受の内輪の径方向幅よりも狭い。【選択図】図４
2020048331.tif 000002
【特許請求の範囲】
【請求項１】
上下に延びる中心軸に沿って配置されるシャフトを有するロータと、
前記ロータと径方向に対向して配置されるステータと、
前記ステータに対して前記ロータを前記中心軸回りに回転可能に支持する転がり軸受と、
前記ロータ及び前記ステータを内包するモータハウジングと、
前記シャフトの径方向外方に配置されるシール部材と、
を備え、
前記シール部材は、前記シャフトに向かって前記中心軸に交差する方向に広がる環状のシール部を有し、
前記シール部と前記シャフトとの間隙は、前記転がり軸受の内輪の径方向幅よりも狭い、モータ。
【請求項２】
前記シール部材は、前記モータハウジングの内面に接触する、請求項１に記載のモータ。
【請求項３】
前記シャフトは、前記シャフトの径方向外面に配置され、径方向内方に凹むシャフト凹部を有し、
前記シール部の径方向内端は、前記シャフト凹部に収容される、請求項１または請求項２に記載のモータ。
【請求項４】
前記シール部の径方向内端は、前記シャフトの径方向外面に接触する、請求項１から請求項３のいずれかに記載のモータ。
【請求項５】
前記シール部材は、前記転がり軸受の上方に配置され、
前記シール部は、径方向内方に向かうにつれて上方に延びる、請求項１から請求項４のいずれかに記載のモータ。
【請求項６】
前記シール部材は、前記転がり軸受の下方に配置され、
前記シール部は、径方向内方に向かうにつれて下方に延びる、請求項１から請求項４のいずれかに記載のモータ。
【請求項７】
前記ステータは、
ステータコアと、
前記ステータコアの下面の少なくとも一部を覆い、周方向に配列される複数のインシュレータと、
を備え、
前記シール部材は、前記複数のインシュレータに固定される、請求項１から請求項５のいずれかに記載のモータ。
【請求項８】
前記ステータは、
ステータコアと、
前記ステータコアの上面の少なくとも一部を覆い、周方向に配列される複数のインシュレータと、
を備え、
前記シール部材は、前記複数のインシュレータに固定される、請求項１から請求項４、または請求項６のいずれかに記載のモータ。
【請求項９】
前記シール部材は、周方向に隣り合う２つの前記インシュレータそれぞれに接触する複数の突起部を備える、請求項７または請求項８に記載のモータ。
【請求項１０】
前記転がり軸受の外輪の径方向外面と、前記モータハウジングの径方向内面との間に配置された弾性部材を備え、
前記シール部材は、前記弾性部材に接触する、請求項１から請求項９のいずれかに記載のモータ。
【請求項１１】
請求項１から請求項１０のいずれかに記載のモータと、
前記シャフトに固定されるインペラと、
を有する、送風装置。
【請求項１２】
請求項１１に記載の送風装置を有する、掃除機。
【発明の詳細な説明】
【技術分野】
【０００１】
本発明は、モータ、送風装置及び掃除機に関する。
【背景技術】
【０００２】
モータのロータを回転可能に支持する軸受に関して、従来の転がり軸受が、特許文献１に開示されている。特許文献１で開示された転がり軸受は、内外輪間にわたってシールが装着される。さらに、この転がり軸受は、シールの軸方向外側で、且つ内外輪の少なくとも一方に、シールに隙間をおいて対向してシールを覆った円環形状のシールド板が装着される。これにより、転がり軸受の防水性及び防塵性を向上させることができる。
【先行技術文献】
【特許文献】
【０００３】
【特許文献１】特開平１１−２３０１７９号公報
【発明の概要】
【発明が解決しようとする課題】
【０００４】
特許文献１で開示された従来の転がり軸受は、軸受自体が高価であることが懸念された。モータの軸受に対する防塵特性の向上のために、上記従来の転がり軸受をモータに適用すると、モータのコストが増加する可能性があった。
【０００５】
上記の点に鑑み、本発明は、安価な構成によって軸受に対する防塵特性を向上させることが可能なモータ、送風装置及び掃除機を提供することを目的とする。
【課題を解決するための手段】
【０００６】
本発明の例示的なモータは、上下に延びる中心軸に沿って配置されるシャフトを有するロータと、前記ロータと径方向に対向して配置されるステータと、前記ステータに対して前記ロータを前記中心軸回りに回転可能に支持する転がり軸受と、前記ロータ及び前記ステータを内包するモータハウジングと、前記シャフトの径方向外方に配置されるシール部材と、を備える。前記シール部材は、前記シャフトに向かって前記中心軸に交差する方向に広がる環状のシール部を有する。前記シール部と前記シャフトとの間隙は、前記転がり軸受の内輪の径方向幅よりも狭い。
【０００７】
本発明の例示的な送風装置は、上記構成のモータと、前記シャフトに固定されるインペラと、を有する。
【０００８】
本発明の例示的な掃除機は、上記構成のモータを有する。
【発明の効果】
【０００９】
本発明の例示的なモータ、送風装置及び掃除機によれば、安価な構成によって軸受に対する防塵特性を向上させることが可能である。
【図面の簡単な説明】
【００１０】
【図１】図１は、本発明の実施形態に係るモータの一例の全体斜視図である。
【図２】図２は、本発明の実施形態に係るモータの縦断面を示す斜視図である。
【図３】図３は、本発明の実施形態に係るモータの縦断面図である。
【図４】図４は、モータのシール部材周辺の部分縦断面図である。
【図５】図５は、モータのシール部材周辺を下方から見た斜視図である。
【図６】図６は、シール部材の斜視図である。
【図７】図７は、変形例１のシール部材周辺の部分縦断面図である。
【図８】図８は、変形例２のモータの縦断面図である。
【図９】図９は、本発明の実施形態に係る送風装置の縦断面図である。
【図１０】図１０は、本発明の実施形態に係る掃除機の斜視図である。
【発明を実施するための形態】
【００１１】
以下、本発明の例示的な実施形態について、図面を参照しながら詳細に説明する。本書では、モータの中心軸が延びる方向を単に「軸方向」と呼び、モータの中心軸を中心として中心軸と直交する方向を単に「径方向」と呼び、モータの中心軸を中心とする円弧に沿う方向を単に「周方向」と呼ぶ。送風装置の中心軸は、モータの中心軸に一致する。また、本書では、説明の便宜上、軸方向を上下方向とし、図３及び図９における上下方向をモータ及び送風装置の上下方向として各部の形状及び位置関係を説明する。モータ及び送風装置の「上側」が「吸気側」であり、「下側」が「排気側」である。なお、この上下方向の定義は、モータ及び送風装置の使用時の向き及び位置関係を限定するものではない。
【００１２】
また、本書では、掃除機に関して、床面に近づく方向を「下」と呼び、床面から離れる方向を「上」と呼び、各部の形状及び位置関係を説明する。なお、これらの方向の定義は、掃除機の使用時の向き及び位置関係を限定するものではない。また、送風装置を駆動させた際に吸気側から排気側へと流れる空気の流通方向に関して、「上流側」、「下流側」として位置関係を説明する場合がある。また、本書では、軸方向に平行な断面を「縦断面」と呼ぶ。また、本書で用いる「平行」、「直交」は、厳密な意味で平行、直交を表すものではなく、略平行、略直交を含む。
【００１３】
＜１．モータの構成＞
＜１−１．モータの概略構成＞
図１は、本発明の実施形態に係るモータ１の一例の全体斜視図である。図２は、本発明の実施形態に係るモータ１の縦断面を示す斜視図である。図３は、本発明の実施形態に係るモータ１の縦断面図である。モータ１は、ロータ２０と、ステータ３０と、転がり軸受４０と、モータハウジング６０と、シール部材７０と、を備える。
【００１４】
ロータ２０は、ステータ３０の径方向内方に配置される。ロータ２０は、上下に延びる中心軸Ｃに沿って配置されるシャフト２１を有する。シャフト２１は、例えば金属で構成される上下に延びる柱状の部材である。ロータ２０は、さらにロータマグネット２２を備える。ロータマグネット２２は、円筒状であり、内側に挿入されたシャフト２１に固定される。
【００１５】
ステータ３０は、ロータ２０の径方向外方に配置される。ステータ３０は、ロータ２０と径方向に対向して配置される。ステータ３０は、ステータコア３１と、インシュレータ３２と、コイル３３と、を備える。
【００１６】
ステータコア３１は、コアバック部３１１と、複数のティース部３１２と、を有する。コアバック部３１１は、中心軸Ｃを中心とした環状である。複数のティース部３１２は、コアバック部３１１の内周面から径方向内方に向かって延びる。複数のティース部３１２は、周方向に所定間隔で配列される。ステータコア３１は、複数のコアピースを接合して構成しても良い。ステータコア３１は、複数枚の電磁鋼板を上下に積層して構成しても良い。
【００１７】
インシュレータ３２は、ステータコア３１に配置される。インシュレータ３２は、ティース部３１２の外面を囲んで設けられる。インシュレータ３２は、ステータコア３１と、コイル３３との間に配置される。インシュレータ３２は、例えば樹脂等の絶縁部材で構成される。なお、ティース部３１２の、ロータマグネット２２との対向部は、インシュレータ３２から露出する。
【００１８】
コイル３３は、複数のティース部３１２それぞれにおいて、インシュレータ３２の周囲に巻き回された導線で構成される。すなわち、ティース部３１２と、コイル３３との間には、インシュレータ３２が介在する。ティース部３１２と、コイル３３とは、インシュレータ３２によって、互いに電気的に絶縁される。複数のコイル３３は、周方向に所定間隔で配列される。
【００１９】
転がり軸受４０は、軸方向上下一対で配置される。上方の転がり軸受４０は、ステータ３０よりも上方に配置される。下方の転がり軸受４０は、ステータ３０よりも下方に配置される。転がり軸受４０は、ステータ３０に対してロータ２０を中心軸Ｃ回りに回転可能に支持する。転がり軸受４０は、モータハウジング６０に固定される。転がり軸受４０の内方には、シャフト２１が固定される。すなわち、転がり軸受４０は、モータハウジング６０に対してシャフト２１を中心軸Ｃ回りに回転可能に支持する。
【００２０】
モータハウジング６０は、ロータ２０及びステータ３０を内包する。モータハウジング６０は、上ハウジング部６１と、下ハウジング部６２と、を備える。
【００２１】
上ハウジング部６１は、天板部６１１と、筒部６１２と、上軸受保持部６１３と、を有する。天板部６１１は、ステータ３０よりも上方に配置される。天板部６１１は、中心軸Ｃを中心として径方向に広がる円板状である。筒部６１２は、天板部６１１の径方向外端部から軸方向下方に延びる。筒部６１２は、ステータ３０の径方向外方に配置される。上軸受保持部６１３は、天板部６１１の中心軸Ｃ付近であって、天板部６１１の中央部に配置される。上軸受保持部６１３は、天板部６１１の天井部から上方に凹状に窪んだカップ形状である。上軸受保持部６１３の内面には、１個の転がり軸受４０が保持される。
【００２２】
下ハウジング部６２は、底板部６２１と、下軸受保持部６２２と、を有する。底板部６２１は、ステータ３０よりも下方に配置される。底板部６２１は、中心軸Ｃを中心として径方向に広がる円板状である。下軸受保持部６２２は、底板部６２１の中心軸Ｃ付近であって、底板部６２１の中央部に配置される。下軸受保持部６２２は、底板部６２１の内底部から下方に凹状に窪んだカップ形状である。下軸受保持部６２２の内面には、１個の転がり軸受４０が保持される。
【００２３】
シール部材７０は、下方に配置される転がり軸受４０よりも上方であって、ステータ３０よりも下方に配置される。シール部材７０は、シャフト２１の径方向外方に配置される。シール部材７０の詳細な構成は、後述する。
【００２４】
上記構成のモータ１において、コイル３３に駆動電流が供給されると、ステータコア３１に径方向の磁束が生じる。ステータ３０の磁束によって生じる磁界と、ロータマグネット２２によって生じる磁界とが作用し、ロータ２０の周方向にトルクが生じる。このトルクによって、ロータ２０が、中心軸Ｃを中心として回転する。
【００２５】
＜１−２．シール部材に係る詳細構成＞
図４は、モータ１のシール部材７０周辺の部分縦断面図である。転がり軸受４０は、内輪４１と、外輪４２と、転動体４３と、を備える。シール部材７０は、シール部７１を有する。なお、シール部材７０は、さらに後述の複数の突起部７２を有する。
【００２６】
シール部７１は、シャフト２１に向かって中心軸Ｃに交差する方向に広がる環状である。シール部７１は、シャフト２１の径方向外方に、シャフト２１に隣接して配置される。シール部７１は、シャフト２１と径方向に対向する。シール部７１の内径は、シャフト２１の外径よりも大きい。そして、シール部７１とシャフト２１との間隙Ｓ１は、転がり軸受４０の内輪４１の径方向幅Ｂｗ１よりも狭い。
【００２７】
上記の構成によれば、シャフト２１に径方向に隣接して静止したシール部材７０が設けられる。これにより、下方の転がり軸受４０の上方に構成される空間の一部は、シール部材７０によって覆われる。すなわち、モータハウジング６０内の塵埃が、転がり軸受４０まで到達することを抑制することができる。したがって、安価な構成によって転がり軸受４０に対する防塵特性を向上させることが可能である。
【００２８】
シール部材７０は、モータハウジング６０の内面に接触する。詳細に言えば、シール部７１の径方向外端部の下面は、下ハウジング部６２の内面に接触する。さらに詳細に言えば、シール部７１の径方向外端部の下面は、周方向の全域にわたって下軸受保持部６２２の上端に接触する。なお、シール部７１の径方向外端部の下面は、周方向の一部の領域において下軸受保持部６２２に接触しても良い。
【００２９】
上記の構成によれば、シール部材７０は、転がり軸受４０の径方向外方において、モータハウジング６０の内面に接触する。さらに、シール部７１は、シャフト２１に径方向に隣接する領域まで、シャフト２１に向かって延びる。これにより、転がり軸受４０の上方の略全域は、シール部材７０によって覆われる。したがって、転がり軸受４０に対する防塵特性を一層高めることが可能である。
【００３０】
シール部材７０は、転がり軸受４０の上方に配置される。シール部７１は、径方向内方に向かうにつれて上方に延びる。言い換えれば、シール部７１の上面は、下方に向かうにつれてシャフト２１から離れる方向に傾斜する。
【００３１】
上記の構成によれば、シール部材７０の上方から下方に、転がり軸受４０に向かって移動する塵埃は、シール部７１の上面において径方向外方に、シャフト２１から離れる方向に移動する。これにより、シール部７１とシャフト２１との間隙Ｓ１における塵埃の堆積を抑制することができる。
【００３２】
図５は、モータ１のシール部材７０周辺を下方から見た斜視図である。ステータ３０は、ステータコア３１（図５では不図示）と、複数のインシュレータ３２と、を備える。複数のインシュレータ３２は、ステータコア３１の下面の少なくとも一部を覆い、周方向に配列される。本実施形態では、ステータコア３１は、例えば３つのティース部３１２を有する。すなわち、本実施形態では、ステータ３０は、３つのインシュレータ３２を備える。
【００３３】
シール部材７０は、複数のインシュレータ３２に固定される。詳細に言えば、シール部材７０の一部は、周方向に隣り合うインシュレータ３２間に介在して固定される。
【００３４】
上記の構成によれば、シール部材７０を周方向の複数箇所で固定することができる。すなわち、シール部材７０の、中心軸Ｃを中心とした回転変位を防止することができる。したがって、転がり軸受４０に対する防塵特性を一層向上させることが可能である。
【００３５】
図６は、シール部材７０の斜視図である。シール部材７０は、さらに複数の突起部７２を備える。突起部７２は、シール部７１から上方及び径方向外方に突出する。本実施形態では、シール部材７０は、例えば３つの突起部７２を有する。突起部７２の数は、インシュレータ３２の数と同一である。複数の突起部７２は、周方向に配列される。突起部７２は、周方向に隣り合うインシュレータ３２間に介在して固定される。つまり、シール部材７０は、周方向に隣り合う２つのインシュレータ３２それぞれに接触する複数の突起部７２を備える。
【００３６】
上記の構成によれば、突起部７２を周方向に隣り合うインシュレータ３２間に介在させることで、シール部材７０を周方向において固定することができる。すなわち、シール部材７０の、中心軸Ｃを中心とした回転変位を抑制することが可能である。
【００３７】
図４に示すように、モータ１は、さらに弾性部材９０を備える。弾性部材９０は、例えば全体がゴム等によって構成される。弾性部材９０は、底板部９１と、筒部９２と、を有する。底板部９１は、中心軸Ｃを中心として径方向に広がる環状である。底板部９１は、転がり軸受４０の下方に配置される。筒部９２は、底板部９１の径方向外端部から軸方向上方に延びる。筒部９２は、転がり軸受４０の径方向外方に配置される。
【００３８】
弾性部材９０は、転がり軸受４０と、下軸受保持部６２２との間に配置される。すなわち、弾性部材９０は、転がり軸受４０の外輪４２の径方向外面と、モータハウジング６０の径方向内面との間に配置される。弾性部材９０は、転がり軸受４０の振動を抑制することができる。
【００３９】
シール部材７０は、弾性部材９０に接触する。詳細に言えば、シール部材７０の径方向外端部の下面は、周方向の全域にわたって弾性部材９０の上端に接触する。
【００４０】
上記の構成によれば、弾性部材９０によって、シール部材７０の振動を抑制することができる。これにより、シール部材７０の周囲において、転がり軸受４０への塵埃の流通経路となる隙間の発生を抑制することができる。したがって、転がり軸受４０に対する防塵特性を一層高めることが可能である。
【００４１】
＜１−３．モータの変形例１＞
図７は、変形例１のシール部材７０周辺の部分縦断面図である。変形例１のモータ１のシャフト２１は、シャフト凹部２１１を有する。シャフト凹部２１１は、シャフト２１の径方向外面に配置される。シャフト凹部２１１は、径方向内方に凹む。シャフト凹部２１１は、中心軸Ｃと直交して周方向に延びる環状の溝である。
【００４２】
シール部７１の径方向内端は、シャフト凹部２１１に収容される。この構成によれば、シール部材７０とシャフト２１との間にラビリンス構造を形成することができる。すなわち、モータハウジング６０内の塵埃が、転がり軸受４０まで到達することを抑制することができる。したがって、転がり軸受に対する防塵特性を向上させることが可能である。
【００４３】
シール部７１の径方向内端は、シャフト凹部２１１の内部において、シャフト２１に接触する。すなわち、シール部７１の径方向内端は、シャフト２１の径方向外面に接触する。この構成によれば、転がり軸受４０の上方に構成される空間のうち、シャフト２１の近傍の空間は、シール部材７０によって覆われる。したがって、転がり軸受４０に対する防塵特性を一層高めることが可能である。
【００４４】
＜１−４．モータの変形例２＞
図８は、変形例２のモータ１の縦断面図である。変形例２のモータ１は、２つの転がり軸受４０Ａ、４０Ｂと、２つのシール部材７０Ａ、７０Ｂと、を備える。転がり軸受４０Ａ、４０Ｂは、軸方向上下一対で配置される。転がり軸受４０Ａ及びシール部材７０Ａは、ステータ３０よりも上方に配置される。転がり軸受４０Ｂ及びシール部材７０Ｂは、ステータ３０よりも下方に配置される。シール部材７０Ｂは、シール部７１Ｂと、突起部７２Ｂと、を有する。シール部７１Ｂは、径方向内方に向かうにつれて上方に延びる。また、突起部７２Ｂは、周方向に隣り合うインシュレータ３２間に介在して固定される。
【００４５】
シール部材７０Ａは、転がり軸受４０Ａの下方に配置される。シール部材７０Ａは、シール部７１Ａを有する。シール部７１Ａは、径方向内方に向かうにつれて下方に延びる。言い換えれば、シール部７１Ａの下面は、上方に向かうにつれてシャフト２１から離れる方向に傾斜する。
【００４６】
上記の構成によれば、シール部材７０Ａの下方から上方に、転がり軸受４０Ａに向かって移動する塵埃は、シール部７１Ａの下面において径方向外方に、シャフト２１から離れる方向に移動する。これにより、シール部７１Ａとシャフト２１との間隙における塵埃の堆積を抑制することができる。
【００４７】
ステータ３０は、ステータコア３１と、複数のインシュレータ３２と、を備える。複数のインシュレータ３２は、ステータコア３１の上面の少なくとも一部を覆い、周方向に配列される。本実施形態では、ステータコア３１は、例えば３つのティース部３１２を有する。すなわち、本実施形態では、ステータ３０は、３つのインシュレータ３２を備える。
【００４８】
シール部材７０Ａは、複数のインシュレータ３２に固定される。詳細に言えば、シール部材７０Ａの突起部７２Ａは、周方向に隣り合うインシュレータ３２間に介在して固定される。
【００４９】
上記の構成によれば、シール部材７０Ａを周方向の複数箇所で固定することができる。すなわち、シール部材７０Ａの、中心軸Ｃを中心とした回転変位を防止することができる。したがって、転がり軸受４０に対する防塵特性を一層向上させることが可能である。
【００５０】
＜２．送風装置の構成＞
図９は、本発明の実施形態に係る送風装置１００の縦断面図である。送風装置１００は、上記構成のモータ１と、インペラ１１０と、を有する。さらに、送風装置１００は、インペラカバー１２０を有する。
【００５１】
＜２−１．インペラの構成＞
インペラ１１０は、インペラカバー１２０の内方に配置される。インペラ１１０は、モータ１の上方に配置される。インペラ１１０は、シャフト２１に固定される。インペラ１１０は、上下に延びる中心軸Ｃ回りに、シャフト２１とともに回転する。
【００５２】
インペラ１１０は、例えば金属部材で構成される。インペラ１１０の径方向外縁は、軸方向から見て、円形である。インペラ１１０は、ベース板１１１と、複数の羽根１１２と、シュラウド１１３と、ハブ１１４と、を有する。
【００５３】
ベース板１１１は、インペラ１１０の下部に配置される。ベース板１１１は、中心軸Ｃを中心として径方向に広がる。ベース板１１１は、円板状部材である。ベース板１１１は、羽根１１２の下部を支持する。
【００５４】
羽根１１２は、ベース板１１１の上方に配置される。インペラ１１０は、複数の羽根１１２を有する。複数の羽根１１２は、ベース板１１１の上面において周方向に配列される。複数の羽根１１２のそれぞれの下部は、ベース板１１１に接続される。複数の羽根１１２それぞれの上部は、シュラウド１１３に接続される。羽根１１２は、上下に起立する板状部材である。羽根１１２は、径方向内方から径方向外方に向かって延び、周方向に湾曲する。
【００５５】
シュラウド１１３は、複数の羽根１１２の上方に配置される。シュラウド１１３は、軸方向から見て、径方向内端及び径方向外端がそれぞれ円形の、環状の板状部材である。シュラウド１１３は、径方向内端と径方向外端との略中間部に対して、径方向外端側がベース板１１１と軸方向に平行であり、径方向内端側が上方に向かって湾曲する。シュラウド１１３は、上下に開口する吸気口１１３ａを有する。吸気口１１３ａは、シュラウド１１３の中心軸Ｃ付近であって、シュラウド１１３の中央部に配置される。シュラウド１１３は、羽根１１２の上部を支持する。
【００５６】
ハブ１１４は、ベース板１１１の中心軸Ｃ付近であって、ベース板１１１の中央部に配置される。ハブ１１４は、軸方向から見て円形である。シャフト２１は、ハブ１１４の中央部において中心軸Ｃに沿って上下にハブ１１４を貫通し、ハブ１１４に固定される。このようにして、インペラ１１０は、シャフト２１に固定される。
【００５７】
＜２−２．インペラカバーの構成＞
インペラカバー１２０は、モータ１の上方に配置される。インペラカバー１２０は、インペラ１１０を内包する。インペラカバー１２０は、上カバー１２１と、下カバー１２２と、を備える。
【００５８】
上カバー１２１は、インペラ１１０の上方に配置される。上カバー１２１は、上方に向かって先細りの円筒形状である。上カバー１２１の径方向外端の下部は、下カバー１２２の径方向外端の上部に固定される。
【００５９】
上カバー１２１は、上下に開口する吸気口１２１ａを有する。吸気口１２１ａは、上カバー１２１の上端部であって、径方向中央部に配置される。上カバー１２１の吸気口１２１ａの下部は、シュラウド１１３の吸気口１１３ａの上部と径方向に重なる。上カバー１２１の吸気口１２１ａの下部の外径は、シュラウド１１３の吸気口１１３ａの上部の内径よりも小さい。
【００６０】
下カバー１２２は、インペラ１１０の下方であって、モータハウジング６０の上方に配置される。下カバー１２２は、モータハウジング６０に固定される。
【００６１】
インペラ１１０がモータ１によって回転駆動されると、空気はインペラカバー１２０の吸気口１２１ａからインペラ１１０の内部に吸い込まれる。インペラ１１０の内部に吸い込まれた空気は、インペラ１１０によって径方向外方へと案内され、さらにインペラ１１０の径方向外方に向かって吹き出される。インペラ１１０の径方向外方に吹き出された空気は、下方に案内され、さらにモータハウジング６０の径方向外方または径方向内方を下方へと送られる。
【００６２】
上記構成の送風装置１００は、モータ１を有する。これにより、送風装置１００において、モータ１の転がり軸受４０に対する防塵特性を向上させることができる。
【００６３】
＜３．掃除機の構成＞
図１０は、本発明の実施形態に係る掃除機１５０の斜視図である。掃除機１５０は、上記構成の送風装置１００を有する。すなわち、掃除機１５０は、上記構成のモータ１を有する。掃除機１５０は、いわゆるスティック型の電気掃除機である。なお、掃除機１５０はいわゆるロボット型、キャニスター型またはハンディ型等のいずれの電気掃除機でも良い。
【００６４】
掃除機１５０は、下面及び上面にそれぞれ吸気部１５２及び排気部１５３を備える筐体１５１を有する。掃除機１５０は、筐体１５１の内部にバッテリ（不図示）を有し、当該バッテリから供給される電力によって作動する。なお、掃除機１５０は、電源コードを有し、部屋の壁面等に設けられた電源コンセントに接続された電源コードを介して供給される電力によって作動することにしても良い。
【００６５】
筐体１５１の内部には、吸気部１５２と排気部１５３とを連結する空気通路（不図示）が設けられる。空気通路の内部には、空気流通方向の上流側から下流側に向かって、集塵部（不図示）、フィルタ（不図示）及び送風装置１００が順に配置される。なお、掃除機１５０において、送風装置１００は、吸気口１２１ａが下方を向くように配置される。空気通路の内部を流通する空気に含まれる塵埃等のゴミは、フィルタにより捕集され、容器状の集塵部に貯留される。これにより、掃除機１５０は、床面Ｆを清掃することが可能である。なお、集塵部及びフィルタは、筐体１５１に対して着脱可能に構成される。
【００６６】
筐体１５１の上部には、把持部１５４及び操作部１５５が設けられる。使用者は、把持部１５４を把持して掃除機１５０を移動させることが可能である。操作部１５５は、複数のボタン１５５ａを有する。使用者は、ボタン１５５ａを操作することで、掃除機１５０の動作指示及び動作設定を行うことが可能である。例えば、ボタン１５５ａの操作により、送風装置１００の駆動開始、駆動停止、及び回転数の変更等を指示することが可能である。
【００６７】
吸気部１５２には、略直線状に延びる吸引管１５６の下流端、すなわち図１０における吸引管１５６の上端が接続される。吸引管１５６の上流端、すなわち図１０における吸引管１５６の下端には、吸引ノズル１５７が吸引管１５６に対して着脱可能に取り付けられる。
【００６８】
上記構成の掃除機１５０は、モータ１を有する。これにより、掃除機１５０において、モータ１の転がり軸受４０に対する防塵特性を向上させることができる。
【００６９】
＜４．その他＞
以上、本発明の実施形態につき説明したが、本発明の範囲はこれに限定されるものではなく、発明の主旨を逸脱しない範囲で種々の変更を加えて実施することができる。また、上記実施形態やその変形例は適宜任意に組み合わせることができる。
【００７０】
例えば、図４に示した実施形態のモータ１において、シール部７１の径方向内端は、シャフト２１の径方向外面に接触することにしても良い。この構成によれば、図４に示した実施形態のモータ１において、転がり軸受４０の上方の全域は、シール部材７０によって覆われる。したがって、転がり軸受４０に対する防塵特性を一層高めることができる。
【００７１】
また例えば、図７に示した変形例１のモータ１において、シール部７１の径方向内端は、シャフト２１の径方向外面に対して離間させることにしても良い。すなわち、シール部７１とシャフト２１との間に、間隙を設けても良い。
【００７２】
また、送風装置１００は、掃除機に限らず、種々のＯＡ機器、医療機器、輸送機器、または掃除機以外の家庭用電気製品などに搭載されても良い。
【産業上の利用可能性】
【００７３】
本発明は、例えば掃除機などの送風装置を有する電気機器において利用可能である。
【符号の説明】
【００７４】
１・・・モータ、２０・・・ロータ、２１・・・シャフト、２２・・・ロータマグネット、３０・・・ステータ、３１・・・ステータコア、３２・・・インシュレータ、３３・・・コイル、４０・・・軸受、４０Ａ・・・軸受、４０Ｂ・・・軸受、４１・・・内輪、４２・・・外輪、４３・・・転動体、６０・・・モータハウジング、６１・・・上ハウジング部、６２・・・下ハウジング部、７０・・・シール部材、７０Ａ・・・シール部材、７０Ｂ・・・シール部材、７１・・・シール部、７１Ａ・・・シール部、７２・・・突起部、７２Ａ・・・突起部、９０・・・弾性部材、９１・・・底板部、９２・・・筒部、１００・・・送風装置、１１０・・・インペラ、１１１・・・ベース板、１１２・・・羽根、１１３・・・シュラウド、１１３ａ・・・吸気口、１１４・・・ハブ、１２０・・・インペラカバー、１２１・・・上カバー、１２１ａ・・・吸気口、１２２・・・下カバー、１５０・・・掃除機、１５１・・・筐体、１５２・・・吸気部、１５３・・・排気部、１５４・・・把持部、１５５・・・操作部、１５５ａ・・・ボタン、１５６・・・吸引管、１５７・・・吸引ノズル、２１１・・・シャフト凹部、３１１・・・コアバック部、３１２・・・ティース部、６１１・・・天板部、６１２・・・筒部、６１３・・・上軸受保持部、６２１・・・底板部、６２２・・・下軸受保持部、Ｂｗ１・・・径方向幅、Ｃ・・・中心軸、Ｆ・・・床面、Ｓ１・・・間隙
【図１】
2020048331.tif 000003
【図２】
2020048331.tif 000004
【図３】
2020048331.tif 000005
【図４】
2020048331.tif 000006
【図５】
2020048331.tif 000007
【図６】
2020048331.tif 000008
【図７】
2020048331.tif 000009
【図８】
2020048331.tif 000010
【図９】
2020048331.tif 000011
【図１０】
2020048331.tif 000012